(57)【特許請求の範囲】
【請求項１】
それぞれ長手方向に櫛歯を有する固定刃と可動刃とを重ね合わせて配置し、固定刃に対して可動刃が長手方向に往復駆動されることにより毛を切断するトリマー刃において、固定刃の先端部分に可動刃と反対方向に突出する厚肉部を設けると共に上記厚肉部に隣接して可動刃との摺接面と略平行に薄肉部を設け、可動刃の先端を上記固定刃の薄肉部に摺接させ、更に、固定刃の長手方向の両端部分に少なくとも歯溝幅よりも長い非櫛部を設け、上記非櫛部の先端部分から長手方向の端縁部分に亘って可動刃と反対方向に突出する厚肉部を設けたことを特徴とするトリマー刃。
【請求項２】
可動刃に摺接した固定刃の先端部分に対して固定刃の基端部分が可動刃から離れるように固定刃の先端部分と基端部分との間に段部を有し、上記段部の先端側屈曲部を固定刃の歯溝奥部よりも先端側に位置させたことを特徴とする請求項１に記載のトリマー刃。
【請求項３】
上記段部の先端側屈曲部付近の固定刃の形状をＲ形状にしたことを特徴とする請求項２に記載のトリマー刃。
【請求項４】
固定刃の厚肉部の厚みを薄肉部の厚みの３倍以下にしたことを特徴とする請求項１に記載のトリマー刃。
【請求項５】
請求項１に記載したトリマー刃を備えた電動器具において、トリマー刃をハウジングの先端に設けたスリットから突出させ、上記トリマー刃の可動刃側に位置したスリットの端縁部を上記トリマー刃の固定刃側に位置したスリットの端縁部よりも先端側に突出させたことを特徴とする電動器具。
【発明の詳細な説明】
【０００１】
【発明の属する技術分野】
本発明は、それぞれ長手方向に櫛歯を有した固定刃と可動刃とを上記長手方向に摺接自在に重ね合わせて配置して成るトリマー刃、及び上記トリマー刃を用いた電動器具に関する発明である。
【０００２】
【従来の技術】
従来から、それぞれ長手方向に櫛歯３０を有した固定刃１と可動刃２とを上記長手方向に摺接自在に重ね合わせて配置して成るトリマー刃は、基本的に固定刃１を肌に沿わせて当接させて固定刃１の櫛歯３０の歯溝に毛を導入し、固定刃１に摺接させた可動刃２で上記毛を切断させるようにして使用されるものである。このようなトリマー刃には、先行技術として実公昭６３−３５７４８（図１４）や実公昭５７−５４７７２（図１５）が有り、これらは、肌に当接させる固定刃１の先端部分に肉厚を厚くした厚肉部３を形成し、肌に当接させる固定刃１の接触面積を広くし、固定刃１による肌への刺激を低減させているものである。
【０００３】
【発明が解決しようとする課題】
しかしながら、上記の例においては、固定刃１の厚肉部３に可動刃２の先端部分を位置させているために、固定刃１の厚肉部３の肉厚分の刈り高さを残して毛は切断されるものであり、毛を短く刈ることができないといった問題があった（図１１，１２参照）。なお、毛を短く刈ることを期して固定刃１の肉厚を薄く形成させることも考えられるが、固定刃１を肌に当接させた際に固定刃１による肌への刺激が増大すると共に肌から固定刃１にかかる当接反力により固定刃１が変形してしまったりといった固定刃１の強度の劣化を招くという問題があった。つまり、固定刃１の先端に厚肉部３を設けると、固定刃１による肌への刺激は低減させることはできるが毛を短く刈ることができないものであり、また、固定刃１の肉厚を薄く形成させると、毛を短く刈ることはできるが固定刃１による肌への刺激が増大すると共に固定刃１の強度も低下してしまうのである。
【０００４】
本発明は上記問題点に鑑みて発明されたものであり、その目的とするところは、固定刃を肌に当接した際に固定刃による肌への刺激を低減させると共に毛を短く刈るといった相反する課題を解決し、更に固定刃の強度の低下をも招き得ないようなトリマー刃や上記トリマー刃を用いた電動器具を提供することにある。
【０００５】
【課題を解決するための手段】
上記課題を解決するために本発明の請求項１に係るトリマー刃は、それぞれ長手方向に櫛歯３０を有する固定刃１と可動刃２とを重ね合わせて配置し、固定刃１に対して可動刃２が長手方向に往復駆動されることにより毛を切断するトリマー刃Ａにおいて、固定刃１の先端部分に可動刃２と反対方向に突出する厚肉部３を設けると共に上記厚肉部３に隣接して可動刃２との摺接面と略平行に薄肉部４を設け、可動刃２の先端を上記固定刃１の薄肉部４に摺接させ、更に、固定刃１の長手方向の両端部分に少なくとも歯溝幅よりも長い非櫛部７を設け、上記非櫛部７の先端部分から長手方向の端縁部分に亘って可動刃２と反対方向に突出する厚肉部８を設けたことを特徴とする。これにより、固定刃１の先端部分に厚肉部３を設けたので、固定刃１を肌に当接させる際には上記厚肉部３を肌に当接させて固定刃１による肌への刺激を低減化させることができ、また、上記厚肉部３の根元側に薄肉部４を設け、可動刃２の先端を上記固定刃１の薄肉部４に摺接させたので、固定刃１の薄肉部４と可動刃２との間で毛を切断させることができ、このとき刈られる毛は固定刃１の薄肉部４の肉厚分の刈り高さを残すものであって、つまり毛を短く刈ることができるものである。更に、固定刃１の非櫛部７を肌に当接させるように使用した際にも、上記非櫛部７の外周縁部分には厚肉部８が設けられていることから、肌には上記厚肉部８を当接させることができ、固定刃１を肌に当接させた際の肌への刺激を低減させることができる。
【０００６】
また、請求項２に係るトリマー刃は、請求項１において、可動刃２に摺接した固定刃１の先端部分に対して固定刃１の基端部分が可動刃２から離れるように固定刃１の先端部分と基端部分との間に段部５を有し、上記段部５の先端側屈曲部６を固定刃１の歯溝奥部３１よりも先端側に位置させたことを特徴とする。これにより、元来固定刃１における強度の弱い部分である櫛歯３０部分の可動刃２と固定刃１との対向方向への肉厚を増やすことができ、固定刃１の強度の向上が図れられるものである。
【０００７】
また、請求項３に係るトリマー刃は、請求項２において、上記段部５の先端側屈曲部６付近の固定刃１の形状をＲ形状にしたことを特徴とする。これにより、固定刃１にかかる外力による応力集中が発生し易い段部５の先端側屈曲部６付近を連続形状に形成させることができ、元来固定刃１における強度の弱い部分である櫛歯３０部分の可動刃２と固定刃１との対向方向への肉厚を増やすことができ、固定刃１の強度の向上が図れられるものである。
【０００８】
また、請求項４に係るトリマー刃は、請求項１において、固定刃１の厚肉部３の厚みを薄肉部４の厚みの３倍以下にしたことを特徴とする。これにより、毛を短く刈り得る効果と固定刃１による肌への刺激を低減させる効果とを固定刃１にバランスよく備えさせることができるものである。
【００１０】
また、請求項１に記載したトリマー刃を備えた電動器具は、トリマー刃Ａをハウジング９の先端に設けたスリット１０から突出させ、上記トリマー刃Ａの可動刃２側に位置したスリット１０の端縁部１０ａを上記トリマー刃Ａの固定刃１側に位置したスリット１０の端縁部１０ｂよりも先端側に突出させたことを特徴とする。これにより、トリマー刃Ａの固定刃１側に位置したスリット１０の端縁部１０ｂがトリマー刃Ａの固定刃１より先に肌に当接してしまって、トリマー刃Ａの固定刃１が肌に密着されないような状態を避けることができるものであり、つまり、固定刃１を肌に密着させて当接させることで毛を短く刈ることができるものである。
【００１１】
【発明の実施の形態】
以下、本発明を添付図面に示す実施形態に基づいて説明する。
【００１２】
図１乃至図１０に本発明の実施の形態の例を示す。本例では、トリマ−刃Ａを備えた電動器具として主に眉毛等の毛を刈る用途に使用される電動毛刈り機Ｂを例に挙げる。図２、図３には電動毛刈り機Ｂの全体の側面図及び縦断面図を示す。この電動毛刈り機は、円筒状のハウジング９の先端部に毛を切断するトリマー刃Ａを、中央部に上記トリマー刃Ａを駆動させる駆動部１１を、後端部に上記駆動部１１を駆動させる電源電池（図示せず）をそれぞれ内装して構成されるものである。
【００１３】
上記トリマー刃Ａは固定刃１と可動刃２とから構成される。この固定刃１及び可動刃２はそれぞれ矩形板状のものであり、その一端に亘って長手方向に櫛歯３０を有して形成されている。この櫛歯３０を設けた方向をトリマー刃Ａの先端方向とする。この固定刃１と可動刃２とは互いの板面を対向させるようにして互いの櫛歯３０を重ね合わせて配置され、可動刃２が固定刃１に対して長手方向に往復駆動することで可動刃２及び固定刃１の櫛歯３０の歯溝に挿入した毛を切断するものである。上記可動刃２の往復動は後述する駆動部１１の駆動杆２４により行われる。
【００１４】
上記駆動部１１は、駆動源であるモーター２１と、上記モーター２１の駆動軸２１ａに取り付けたピニオン２２と、上記ピニオン２２に噛合するフェースギア２３と、上記フェースギア２３の枢支軸２３ｂに対する偏心位置に係合される板棒状の駆動杆２４とで構成される。駆動杆２４とフェースギア２３との係合構造は、フェースギア２３の偏心位置に突出した偏心ピン２３ａを駆動杆２４に設けた係合孔２４ａに遊嵌させた構造であって、フェースギア２３の回転運動が駆動杆２４の往復運動に変換される往復動リンク機構により構成されている。この駆動杆２４は先端を可動刃２に連結して可動刃２に往復動をさせるものである。なお、上記モーター２１はスイッチ回路（図示せず）によりオンオフされる。このスイッチ回路はスイッチハンドル２５により操作される。
【００１５】
なお、上記ハウジング９は、先端部にトリマー刃Ａを配置する刃基台１３を有すると共に中央部に駆動部１１を配置する駆動部基台１４を有し、後端部に電源電池を収納する電池収納部１２を形成した本体ハウジング１５と、上記刃基台１３に対向させて被せる刃カバー１６と、上記駆動部基台１４に対向させて被せる駆動部カバー１７と、上記電池収納部１２に下方から挿入して被せる有底円筒状の電池カバー１８とから構成されている。つまり、トリマー刃Ａは本体ハウジング１５の刃基台１３と刃カバー１６との間に内装され、駆動部１１は本体ハウジング１５の駆動部基台１４と駆動部カバー１７との間に内装される。また、電源電池は本体ハウジング１５から電池カバー１８を取り外すことで取替可能になっているものである。
【００１６】
図４、図５に示すものは、トリマー刃Ａの本体ハウジング１５の刃基台１３への配設構造の側面図及び分解斜視図である。このトリマー刃Ａの本体ハウジング１５の刃基台１３への配設構造は、上記刃基台１３に押上バネ１９を装着し、上記押上バネ１９に可動刃２、固定刃１を順に重ね合わせるように配置し、最後に刃カバー１６を固定刃１の上から被せて装着した構造である。この押上バネ１９は、常に可動刃２を固定刃１に沿わせて摺動させ、可動刃２と固定刃１との間に一定の切断力を有させるように、可動刃２を固定刃１の方向に押圧付勢しているものである。また、図中２０は、可動刃２に上記駆動杆２４の先端を連結させる連結具である。
【００１７】
図６に示すものは、上記トリマー刃Ａのハウジング９への配設構造を示す横断面図である。上述したように、トリマー刃Ａは本体ハウジング１５の刃基台１３と刃カバー１６との間に挟まれるように配置されるが、本体ハウジング１５の刃基台１３と刃カバー１６とは電動毛刈り機Ｂの正面側にスリット１０を形成しており、固定刃１及び可動刃２は上記スリット１０からそれぞれ櫛歯３０部分を外方に突出させて配置されている。
【００１８】
上述した構成を有する電動毛刈り機Ｂは、スイッチハンドル２５を操作してモーター２１を駆動させると、ピニオン２２及びフェースギア２３が回転すると共に駆動杆２４が往復動し、上記駆動杆２４に連結した可動刃２が固定刃１の長手方向に往復摺動するものである。そして、図８，９に示すように、固定刃１の先端を使用者の肌に沿わせて固定刃１の櫛歯３０の歯溝に毛を挿入し、固定刃１に沿って摺動させた可動刃２により上記毛が切断されるのである。
【００１９】
ここで、本発明は、固定刃１を肌に当接した際の固定刃１による肌への刺激を低減させると共に毛を短く刈るといった相反する課題を解決するために、特にトリマー刃Ａを構成する固定刃１と可動刃２との構造につき工夫が施されているものである。以下、トリマー刃Ａを構成する固定刃１と可動刃２との構造につき詳述する。
【００２０】
図１にはハウジング９に配設したトリマー刃Ａの先端部分を拡大した横断面図を示すが、このように、固定刃１は、櫛歯３０が形成されている先端部分に厚肉部３を設けると共に上記厚肉部３の根元側に薄肉部４を連続して設けて形成されている。この厚肉部３は表面に丸みを持たせて可動刃２と反対方向に突出するように形成されており、また、薄肉部４は固定刃１の肉厚を小さくするように切削するようにして形成されているものである。上述したように電動毛刈り機Ｂを使用する際には固定刃１の先端を肌に当接させて使用されるものであるが、本例では、固定刃１の先端の厚肉部３を肌に当接させることができることから、固定刃１と肌との接触面積を広くして当接圧力を少なくさせることができ、つまり、固定刃１による肌への刺激を低減させることができるのである。
【００２１】
また、本例では、固定刃１に摺接する可動刃２の先端を固定刃１の薄肉部４に沿わせるように位置させている。これは、固定刃１の櫛歯３０の歯溝に挿入した毛を固定刃１の薄肉部４で可動刃２によって切断させることを図ったものである。固定刃１と可動刃２との間での毛の切断構造は、図８，９に示すように、固定刃１の櫛歯３０の歯溝を挿通した毛を摺動する可動刃２によって切断するような構造であることから、毛の刈り高さは固定刃１における切断箇所の肉厚寸法に依るものであり、固定刃１の肉厚を薄く形成した薄肉部４で毛を刈ることで毛を短く刈ることができるものである。なお、比較例として図１１には可動刃２の先端を固定刃１の厚肉部３に位置させて固定刃１の櫛歯３０の歯溝に挿通させた毛を上記厚肉部３で切断されるようにしたトリマー刃Ａ’を示すが、このようなものでは図１２に示すように固定刃１の櫛歯３０の歯溝に挿通させた毛は肉厚の厚い厚肉部３分の刈り高さを残して切断されるため、図９に示す上記薄肉部４で切断した毛に比べて短く刈ることができないことがわかる。
【００２２】
なお、本例の厚肉部３の肉厚寸法は薄肉部４の肉厚寸法の３倍以下にしてあるものである。これは、図１０に示す厚肉部３の肉厚寸法における固定刃１による肌への刺激と毛の刈り高さとの関係により割り出されたものであり、このグラフによると、厚肉部３の肉厚寸法が薄肉部４の肉厚寸法の３倍を超えると固定刃１による肌への刺激は低い状態で略一定になり、また、厚肉部３が薄肉部４と略同様の肉厚寸法を有すると固定刃１による肌への刺激が高い状態になることがわかるものである。つまり、薄肉部４よりも肉厚の厚い厚肉部３の肉厚寸法を薄肉部４の肉厚寸法の３倍以下にすると、毛の刈り高さを妥当な短さにすることができると共に、固定刃１による刺激を使用者の気にならないレベルに抑えることができるものである。
【００２３】
また、固定刃１及び可動刃２は先端位置である櫛歯３０部分だけを接触させるようにそれぞれ櫛歯３０の歯溝奥部３１の近傍位置で段部５を形成させている。この段部５を形成させことで、固定刃１に対して摺動する可動刃２の摺接抵抗を小さくさせることができると共に押上バネ１９による圧接力を有効に櫛歯３０部分に集中させることができて毛の切断力の向上が図られるものである。しかしながら、固定刃１及び可動刃２において櫛歯３０部分は元来強度の弱い部分であることから、この櫛歯３０部分への上記押上バネ１９による圧接力の集中荷重は櫛歯３０部分の更なる強度不安を創出してしまう。本例では、この櫛歯３０部分に種々形状に変化をつけることで櫛歯３０部分の強度の向上が図られるものである。
【００２４】
まず、段部５の先端側屈曲部６が歯溝奥部３１よりも先端側に設けられている。これによると、歯溝奥部３１では固定刃１と可動刃２との対向方向、つまり、可動刃２が固定刃１に付勢される方向に肉厚を厚く形成させることができるものであり、固定刃１及び可動刃２の櫛歯３０部分の特に根元部分の強度の向上が図られているのである。更に、この先端側屈曲部６では、固定刃１及び可動刃２を滑らかに屈曲させるように固定刃１及び可動刃２の対向面と反対の表面をＲ形状に仕上げている。これによると、押上バネ１９の付勢等の外力によって固定刃１や可動刃２内に発生する内部応力を上記先端側屈曲部６に集中させない構造にすることができるものであり、従って、固定刃１及び可動刃２の櫛歯３０部分の強度の向上が図られているのである。
【００２５】
また、図７に示すように、固定刃１の長手方向の両端部には少なくとも櫛歯３０の歯溝幅よりも長い非櫛部７を設けてあり、この非櫛部７の外周縁部分、すなわち非櫛部７の先端部分から長手方向の端縁部分に亘る部分には厚肉部８が形成されている。この非櫛部７の厚肉部８は、櫛歯３０部分に形成した厚肉部３と同様に、表面に丸みを持たせて可動刃２と反対方向に突出するように形成されている。刈る毛に狙いをつけて固定刃１を肌に当接させる際には固定刃１の長手方向の端縁部分を肌に当接させるものであるが、この固定刃１の長手方向の端縁部分には櫛歯３０の形成されていない非櫛部７があって更に上記非櫛部７の外周縁に厚肉部８が形成されていることから、刈る毛に狙いをつけて固定刃１を肌に当接させた際にも確実に厚肉部８を肌に押し当てることができるものであり、固定刃１による肌への刺激を抑えることができるものである。
【００２６】
このように、トリマー刃Ａを構成する固定刃１及び可動刃２に種々の工夫を施したことで、固定刃１による肌への刺激を抑えると共に毛の刈り高さも短くさせることができ、電動毛刈り機Ｂの使い勝手を向上させているものである。なお、電動毛刈り機Ｂの構造に工夫を施すことでも毛の刈り高さを短くさせ得るものである。すなわち、本例の電動毛刈り機Ｂでは、トリマー刃Ａを突出させたスリット１０の可動刃２側の端縁部１０ａ（刃カバー１６の端縁部）を固定刃１側の端縁部１０ｂ（刃基台１３の端縁部）に比べてトリマー刃Ａの先端方向に突出させているのである。本例の電動毛刈り機Ｂの使用形態図は図８に示すものであるが、これによると、固定刃１を肌に当接させた際に、トリマー刃Ａの固定刃１側に位置したスリット１０の端縁部１０ｂがトリマー刃Ａの固定刃１より先に肌に当接してしまってトリマー刃Ａの固定刃１が肌に密着されないような状態を避けることができるものであり、つまり、固定刃１を肌に密着させて当接させることができ、毛を短く刈ることができるものである。図１３には、比較例としてのスリット１０の両端縁部１０ａ，１０ｂを同レベルの突出状態に形成した電動毛刈り機Ｂ’の使用形態図を示すが、上記比較例である電動毛刈り機Ｂ’では、スリット１０の固定刃１側の端縁部１０ｂがトリマー刃Ａの先端方向に突出しすぎているために、固定刃１より先に肌に当接してしまって固定刃１を肌に密着させ得ない状態であることがわかる。
【００２７】
【発明の効果】
本発明の請求項１記載のトリマー刃にあっては、叙述したように、固定刃の先端部分に可動刃と反対方向に突出する厚肉部を設けたので、固定刃を肌に当接させる際には上記厚肉部を肌に当接させて固定刃による肌への刺激を低減化できるものであり、また、上記固定刃において厚肉部に隣接して可動刃との摺接面と略平行に薄肉部を設けると共に可動刃の先端を上記固定刃の薄肉部に摺接させたので、固定刃の薄肉部と可動刃との間で毛を切断させることができ、このとき刈られる毛は固定刃の薄肉部の肉厚分の刈り高さを残すものであって、つまり毛を短く刈ることができるものである。更に、固定刃の長手方向の両端部分に少なくとも歯溝幅よりも長い非櫛部を設け、上記非櫛部の先端部分から長手方向の端縁部分に亘って可動刃と反対方向に突出する厚肉部を設けたので、狙った毛を切断させるために固定刃の長手方向の端部である非櫛部を肌に当接させるように使用した際にも、上記非櫛部の外周縁部分には厚肉部が設けられていることから、肌には上記厚肉部を当接させることができ、固定刃による肌への刺激を低減させることができる。
【００２８】
また、請求項２記載のトリマー刃は、請求項１の効果に加えて、可動刃に摺接した固定刃の先端部分に対して固定刃の基端部分が可動刃から離れるように固定刃の先端部分と基端部分との間に段部を有し、上記段部の先端側屈曲部を固定刃の歯溝奥部よりも先端側に位置させたので、元来固定刃における強度の弱い部分である櫛歯部分の可動刃と固定刃との対向方向への肉厚を増やすことができ、固定刃の強度の向上が図れられるものである。
【００２９】
また、請求項３記載のトリマー刃は、請求項２の効果に加えて、上記段部の先端側屈曲部付近の固定刃の形状をＲ形状にしたので、元来固定刃における強度の弱い部分である櫛歯部分の可動刃と固定刃との対向方向への肉厚を増やすことができ、固定刃の強度の向上が図れられるものである。
【００３０】
また、請求項４記載のトリマー刃は、請求項１の効果に加えて、固定刃の厚肉部の厚みを薄肉部の厚みの３倍以下にしたので、毛を短く刈り得る効果と固定刃による肌への刺激を低減させる効果とを固定刃にバランスよく備えさせることができるものである。
【００３２】
また、請求項１に記載したトリマー刃を備えた電動器具において、トリマー刃をハウジングの先端に設けたスリットから突出させ、上記トリマー刃の可動刃側に位置したスリットの端縁部を上記トリマー刃の固定刃側に位置したスリットの端縁部よりも先端側に突出させたので、トリマー刃の固定刃側に位置したスリットの端縁部がトリマー刃の固定刃より先に肌に当接してしまってトリマー刃の固定刃が肌に密着されないといった状態を避けることができるものであり、つまり、固定刃を肌に密着させて当接させることができ、毛を短く刈ることができるものである。
【図面の簡単な説明】
【図１】本発明の実施の形態の例の電動毛刈り機に備えたトリマー刃の先端部分の横断面図である。
【図２】同上の電動毛刈り機（電池カバーを外した状態）を示す全体側面図である。
【図３】同上の電動毛刈り機の全体縦断面図である。
【図４】同上の電動毛刈り機のハウジングに装着したトリマー刃を示す部分側面図である。
【図５】同上のハウジングへのトリマー刃の配設構造を示す分解斜視図である。
【図６】同上のハウジングへのトリマー刃の配設構造を示す横断面図である。
【図７】同上のトリマー刃の固定刃における長手方向の端縁部分を示す斜視図である。
【図８】同上の電動毛刈り機の使用形態を説明するトリマー刃配設位置での横断面図である。
【図９】同上の電動毛刈り機の使用形態を説明するものであって図１のｘ−ｘ線断面図である。
【図１０】厚肉部の肉厚寸法におけるトリマー刃の固定刃による肌への刺激と毛の刈り高さとの関係を示すグラフである。
【図１１】本発明と比較する比較例であって、可動刃の先端を固定刃の厚肉部に位置させたトリマー刃を示す横断面図である。
【図１２】上記比較例の使用形態を説明するものであって図１１のｙ−ｙ線断面図である。
【図１３】本発明と比較する他の比較例であって、スリットの両端縁部を同レベルに突出させた電動毛刈り機の使用形態を説明するトリマー刃配設位置での横断面図である。
【図１４】従来技術の例を示すもので、（ａ）はトリマー刃の固定刃の先端部分の斜視図であり、（ｂ）は使用形態を説明するトリマー刃の横断面図である。
【図１５】従来技術の他例を示すもので、（ａ）はトリマー刃の固定刃の先端部分の斜視図であり、（ｂ）はトリマー刃の横断面図である。
【符号の説明】
１  固定刃
２  可動刃
３  厚肉部
４  薄肉部
５  段部
６  先端側屈曲部
３０  櫛歯
３１  歯溝奥部
【図１】
0004496674.tif 000002
【図２】
0004496674.tif 000003
【図３】
0004496674.tif 000004
【図４】
0004496674.tif 000005
【図５】
0004496674.tif 000006
【図６】
0004496674.tif 000007
【図７】
0004496674.tif 000008
【図８】
0004496674.tif 000009
【図９】
0004496674.tif 000010
【図１０】
0004496674.tif 000011
【図１１】
0004496674.tif 000012
【図１２】
0004496674.tif 000013
【図１３】
0004496674.tif 000014
【図１４】
0004496674.tif 000015
【図１５】
0004496674.tif 000016